(57)【特許請求の範囲】
【請求項１】
圧縮機のケースに設けられたターミナルの端子に、リセプタクル端子を接続することにより取り付けられる圧縮機用過負荷リレーにおいて、
前記リセプタクル端子の両側に位置し、突出して設けられ、当該リセプタクル端子が前記ターミナルの端子に接続された際、当該ターミナルの側面にそれぞれ当接する突起を備えたことを特徴とする圧縮機用過負荷リレー。
【請求項２】
前記突起の前記ターミナル側となる面の先端をテーパー形状としたことを特徴とする請求項１の圧縮機用過負荷リレー。
【発明の詳細な説明】
【０００１】
【発明の属する技術分野】
本発明は圧縮機のケースに設けられたターミナルの端子に、リセプタクル端子を接続することにより過負荷リレーが取り付けられる圧縮機用過負荷リレーに関するものである。
【０００２】
【従来の技術】
従来より単相交流電源で単相誘導モータを駆動するものでは、単相交流電源と単相誘導モータが直接に接続されるため、電気回路的にはその電源ラインの一方に過負荷リレーを挿入し過負荷防止機能と電源供給機能を充足していた。そこで、従来では過電流による過熱によって圧縮機が温度上昇し破損してしまうのを防止するため、圧縮機のケースに過負荷リレーを取り付けていた。
【０００３】
該圧縮機のケースのターミナル２に取り付けられた過負荷リレーを図１１に示している。図１１において、３、３、３はターミナル２に設けられた端子であり、ターミナル２は図示しない圧縮機のケースに固定されている。そして、ターミナル２の所定の端子３には、過負荷リレー１０４のリセプタクル端子１０５が挿入接続されることにより過負荷リレー１０４は圧縮機のケースに取り付けられていた。詳しくは、過負荷リレー１０４の収納ケース１０４Ａに端子板１０５Ｂが固定され中央に端子１０５Ａが位置するリセプタクル端子１０５の端子１０５Ａがターミナル２の端子３に挿入接続される。
【０００４】
該過負荷リレー１０４のリセプタクル端子１０５が挿入されたターミナル２の端子３と残りの２個の端子３、３に電源供給のためのソケット、またはコンプレッサ起動用リレーが接続される。そして、過負荷リレー１０４に設けられた端子１０８は電源に接続されている。また、過負荷リレー１０４を圧縮機のターミナル２に取り付ける場合は、過負荷リレー１０４のリセプタクル端子１０５をただ単にターミナル２の端子３に挿入するだけであったため、図１２に示す如き過負荷リレー１０４はターミナル２の端子３を中心に左右に回動し位置ずれてしまっていた。
【０００５】
【発明が解決しようとする課題】
しかしながら、過負荷リレーを圧縮機のターミナルに取り付ける際、過負荷リレーは端子を中心に左右に回動して位置ずれしてしまうと、過負荷リレーのケースはリセプタクル端子が挿入された他のターミナルの端子に接近してしまう。このため、圧縮機のターミナルに設けられた他の端子に電源供給のためのソケットを接続する際、左右に回動して位置ずれている過負荷リレーの位置を修正しないと電源供給のためのソケット、またはコンプレッサ起動用リレーが挿入できない問題があった。
【０００６】
本発明は、係る従来技術の課題を解決するために成されたものであり、過負荷リレーの位置ずれを修正することなく簡単に電源供給のためのソケット、またはコンプレッサ起動用リレーを圧縮機のターミナルの端子に挿入することができる圧縮機用過負荷リレーを提供することを目的とする。
【０００７】
【課題を解決するための手段】
即ち、本発明の圧縮機用過負荷リレーは、圧縮機のケースに設けられたターミナルの端子に、リセプタクル端子を接続することにより取り付けられるものであって、リセプタクル端子の両側に位置し、突出して設けられ、当該リセプタクル端子がターミナルの端子に接続された際、当該ターミナルの側面にそれぞれ当接する突起を備えたものである。
【０００８】
また、請求項２の発明の圧縮機用過負荷リレーは、上記において、突起のターミナル側となる面の先端をテーパー形状としたものである。
【０００９】
本発明によれば、リセプタクル端子の両側に位置し、突出して設けられ、当該リセプタクル端子がターミナルの端子に接続された際、当該ターミナルの側面にそれぞれ当接する突起を備えているので、リセプタクル端子をターミナルの端子に接続しターミナルに側面に両突起を当接させることにより、確実に過負荷リレーの位置決めを行なうことができるようになる。これにより、ターミナルに取り付けた過負荷リレーがターミナルの端子を中心に左右に回動して位置ずれしてしまうのを防止することが可能になる。従って、ターミナルの端子に過負荷リレーに設けたリセプタクル端子を挿入するだけで、過負荷リレーを所定の位置に固定することができるようになるので、過負荷リレーの位置ずれを修正することなく簡単に電源供給のためのソケット、またはコンプレッサ起動用リレーを圧縮機のターミナルの端子に挿入することができ、圧縮機用過負荷リレーの利便性を大幅に向上させることができるようになるものである。
【００１０】
請求項２の発明によれば、上記に加えて、突起のターミナル側となる面の先端をテーパー形状としているので、過負荷リレーに設けたリセプタクル端子をターミナルの端子に接続する際、例えばテーパー形状の部分で両突起をターミナルの側面に容易に案内することが可能となる。これにより、突起がターミナルに乗り上げてしまう不都合を阻止することができるので、ターミナルの端子にリセプタクル端子を無理なく挿入することができるようになる。従って、過負荷リレーを圧縮機ターミナル取り付ける作業性を大幅に向上させることができるようになるものである。
【００１１】
【発明の実施の形態】
次に、図面に基づき本発明の実施形態を詳述する。図１は圧縮機のケース１に設けられたターミナル２の端子３に取り付けた状態を示す本発明の圧縮機用過負荷リレー４の側面図、図２は同ターミナル２の端子３に取り付けた状態を示す圧縮機用過負荷リレー４の平面図、図３は本発明の圧縮機用過負荷リレー４の平面図、図４は本発明の圧縮機用過負荷リレー４の正面図、図５は本発明の圧縮機用過負荷リレー４の側面図をそれぞれ示している。尚、各図において同一符号で示すものは同一とする。
【００１２】
図１、図２において、２は圧縮機のケース１に取り付けられたターミナル、３はターミナル２の端子、４はターミナル２の端子３に取り付けられている過負荷リレーである。ターミナル２は円形で所定の厚さにて構成されており、このターミナル２には３本の円柱形の端子３、３、３が立設されている。各端子３、３、３はターミナル２の円周に沿って略等間隔で立設されると共に、各端子３、３、３はターミナル２の周囲から同一間隔で少許内側に立設されている。
【００１３】
過負荷リレー４は、図示しないが過電流による過熱によって圧縮機が温度上昇し破損してしまうのを防止するためのもので、所定の大きさの収納ケース４Ａに収納されている。該過負荷リレー４には、板状の端子板５Ｂとこの端子板５Ｂの先端に設けられた端子５Ａからなるリセプタクル端子５が設けられており、このリセプタクル端子５の端子板５Ｂの一端は過負荷リレー４の収納ケース４Ａの一側端部に固定されると共に端子５Ａは収納ケース４Ａ（過負荷リレー４）の中央に位置している（図３、図４、図５）。リセプタクル端子５の端子５Ａはターミナル２の端子３に挿入可能に構成されており、端子５Ａがターミナル２の端子３に挿入されて接続されることにより、過負荷リレー４はターミナル２に保持されるように構成されている。
【００１４】
過負荷リレー４の収納ケース４Ａ両端には角柱形状の突起６、６が設けられており、これら突起６、６は過負荷リレー４の両側下方に突出して設けられている。両突起６、６はリセプタクル端子５の端子５Ａを中心に両側に略等間隔に位置して設けられており、過負荷リレー４のリセプタクル端子５の先端に設けられた端子５Ａがターミナル２の端子３に挿入され接続された状態で、両突起６、６はターミナル２の側面周囲に位置するように構成されている。
【００１５】
突起６、６はターミナル２の中心に向かって面を成す傾いた状態で、過負荷リレー４の収納ケース４Ａ両端に形成されている。即ち、両突起６、６の内側はターミナル２周囲の接線と平行になるように形成され、この両突起６、６の内側がターミナル２周囲側面に当接するように構成されている。そして、リセプタクル端子５の端子５Ａによって過負荷リレー４がターミナル２の端子３に挿入接続された状態で両突起６、６はターミナル２の周囲側面に当接される。
【００１６】
また、過負荷リレー４に設けた各突起６、６はリセプタクル端子５の先端の端子５Ａがターミナル２の端子３に接続された状態で、各突起６、６には先端に行くに従ってターミナル２より離間していくテーパー形状の傾斜部７が形成されている（図６、図７、図８）。即ち、両突起６、６のターミナル２側となる面の先端に傾斜部７を形成している。これによって、ターミナル２の端子３に過負荷リレー４のリセプタクル端子５（端子５Ａ）を挿入する際、両突起６、６の先端がターミナル２に乗り上げて、挿入が困難にならず自然に挿入できるように構成されている。尚、８は電源に配線接続される端子である。
【００１７】
そして、圧縮機のケース１に取り付けられたターミナル２に過負荷リレー４を取り付ける場合、ターミナル２に設けられた所定の端子３上方にリセプタクル端子５の端子５Ａを位置させると共に、過負荷リレー４の両突起６、６先端に形成された傾斜部７をターミナル２側に指向させる（図９）。次に、ターミナル２の端子３に過負荷リレー４に設けられたリセプタクル端子５の端子５Ａを挿入し接続する。
【００１８】
このとき、ターミナル３の端子３に対して過負荷リレー４が僅か左右に回動して位置ずれしている場合、両突起６、６の先端に設けたテーパー形状の傾斜部７によって両突起６、６はターミナル２の側面に周囲に移動する（図１０）。これによって、ターミナル２に各突起６、６が乗り上げることなく過負荷リレー４のリセプタクル端子５（端子５Ａ）をターミナル３の端子３に確実に挿入接続でき、ターミナル２に過負荷リレー４を取り付けることができることとなる。そして、ターミナル２の各端子３、３、３、３に電源供給のためのソケット、またはコンプレッサ起動用リレーが接続されると共に、過負荷リレー４に設けられた端子８に電源が配線接続され、圧縮機への電気回路は完結される。
【００１９】
このように、過負荷リレー４の両側に突出してそれぞれ突起６、６を設けているので、リセプタクル端子５（端子５Ａ）がターミナル２の端子３に挿入接続された際、ターミナル２に両突起６、６を当接させた状態で過負荷リレー４をターミナル２に保持させることが可能となる。これにより、ターミナル２に取り付けた過負荷リレー４がターミナル２の端子３を中心に左右に回動して位置ずれしてしまう不都合を防止できるので、ターミナル２の端子４に対する位置決めを確実に行うことが可能となる。
【００２０】
また、両突起６、６のターミナル２側となる面の先端に傾斜部７を形成しているので、過負荷リレー４がターミナル３の端子３に対して僅か左右に回動して位置ずれしている場合などでも、両突起６、６の先端に形成した傾斜部７によって両突起６、６をターミナル２の側面に案内することができるようになる。これにより、ターミナル２に各突起６、６が乗り上げることなく過負荷リレー４を確実にターミナル２に取り付けることが可能となる。
【００２１】
【発明の効果】
以上詳述した如く本発明によれば、リセプタクル端子の両側に位置し、突出して設けられ、当該リセプタクル端子がターミナルの端子に接続された際、当該ターミナルの側面にそれぞれ当接する突起を備えているので、リセプタクル端子をターミナルの端子に接続しターミナルに側面に両突起を当接させることにより、確実に過負荷リレーの位置決めを行なうことができるようになる。これにより、ターミナルに取り付けた過負荷リレーがターミナルの端子を中心に左右に回動して位置ずれしてしまうのを防止することが可能になる。従って、ターミナルの端子に過負荷リレーに設けたリセプタクル端子を挿入するだけで、過負荷リレーを所定の位置に固定することができるようになるので、過負荷リレーの位置ずれを修正することなく簡単に電源供給のためのソケット、またはコンプレッサ起動用リレーを圧縮機のターミナルの端子に挿入することができ、圧縮機用過負荷リレーの利便性を大幅に向上させることができるようになるものである。
【００２２】
また、請求項２の発明によれば、上記に加えて、突起のターミナル側となる面の先端をテーパー形状としているので、過負荷リレーに設けたリセプタクル端子をターミナルの端子に接続する際、例えばテーパー形状の部分で両突起をターミナルの側面に容易に案内することが可能となる。これにより、突起がターミナルに乗り上げてしまう不都合を阻止することができるので、ターミナルの端子にリセプタクル端子を無理なく挿入することができるようになる。従って、過負荷リレーを圧縮機ターミナル取り付ける作業性を大幅に向上させることができるようになるものである。
【図面の簡単な説明】
【図１】圧縮機のケースに設けられたターミナルの端子に取り付けた状態を示す本発明の圧縮機用過負荷リレーの側面図である。
【図２】同図１のターミナルの端子に取り付けた状態を示す圧縮機用過負荷リレーの平面図である。
【図３】本発明の圧縮機用過負荷リレーの平面図である。
【図４】本発明の圧縮機用過負荷リレーの正面図である。
【図５】本発明の圧縮機用過負荷リレーの側面図である。
【図６】過負荷リレーの突起の拡大側面図である。
【図７】突起の拡大正面図である。
【図８】突起の拡大側面図である。
【図９】圧縮機のケースに設けられたターミナルに過負荷リレーを挿入する状態を示す図である。
【図１０】圧縮機のケースに設けられたターミナルと過負荷リレーの突起との位置関係を示す図である。
【図１１】圧縮機のケースに設けられたターミナルに従来の過負荷リレーを取り付けた図である。
【図１２】従来の過負荷リレーが回動して位置ずれしている状態を示す図である。
【符号の説明】
１  ケース
２  ターミナル
３  端子
４  過負荷リレー
４Ａ  収納ケース
５  リセプタクル端子
５Ａ  端子
５Ｂ  端子板
６  突起
７  傾斜部
８  端子
【図１】
0003723427.tif 000002
【図２】
0003723427.tif 000003
【図３】
0003723427.tif 000004
【図４】
0003723427.tif 000005
【図５】
0003723427.tif 000006
【図６】
0003723427.tif 000007
【図７】
0003723427.tif 000008
【図８】
0003723427.tif 000009
【図９】
0003723427.tif 000010
【図１０】
0003723427.tif 000011
【図１１】
0003723427.tif 000012
【図１２】
0003723427.tif 000013